(57)【要約】【課題】縫い針に残った糸を簡便に保管することのできる裁縫用糸巻きを提供すること。【解決手段】縫い針に通した糸Ｔを保持するための裁縫用糸巻き１であって、糸Ｔを巻き付けるための巻付け部と巻き付けた糸Ｔが脱落しないように巻付け部の両側に設けられた鍔部とを有した板状の糸巻部１１が備えられ、糸巻部１１が針１２の頭部に設けられている。【選択図】      図６
2006118101.tif 000002
【特許請求の範囲】
【請求項１】
縫い針に通した糸を保持するための裁縫用糸巻きであって、
糸を巻き付けるための巻付け部と前記巻付け部に巻き付けた糸が脱落しないように前記巻付け部の両側に設けられた鍔部とを有した糸巻部が備えられ、前記糸巻部が針の頭部に設けられてなる、
ことを特徴とする裁縫用糸巻き。
【請求項２】
前記糸巻部は、板状であって、前記針の長手方向に沿って、前記１つの鍔部、前記巻付け部、および他の１つの前記鍔部が形成されている、
請求項１記載の裁縫用糸巻き。
【請求項３】
前記糸巻部は、正面視および背面視が略瓢箪形状の板状体からなり、前記針の長手方向に沿って、前記１つの鍔部、前記巻付け部、および他の１つの前記鍔部が形成されている、
請求項１記載の裁縫用糸巻き。
【請求項４】
縫い針に通した糸を保持するための裁縫用糸巻きであって、
糸を巻き付けるための板状の巻付け部を有した糸巻部が備えられ、
前記糸巻部が、針の頭部において、前記糸巻部によって形成される平面が前記針の長手方向を含むような配置で一体的に設けられてなる、
ことを特徴とする裁縫用糸巻き。
【請求項５】
縫い針に通した糸の保管方法であって、
前記糸を巻き付けるための糸巻部が針の頭部に設けられた裁縫用糸巻きを用い、
前記糸巻部に前記糸をその糸尻から巻き付け、前記糸を巻き付け終わった前記縫い針および前記針を同じ針山に突き刺しておく、
ことを特徴とする縫い針に通した糸の保管方法。
【発明の詳細な説明】
【技術分野】
【０００１】
本発明は、縫い針に通した糸を保持するための裁縫用糸巻きおよび縫い針に通した糸の保管方法に関する。本発明の裁縫用糸巻きは、例えば、裁縫を終えて縫い針に通した糸が残った場合に、その糸を次に使えるように縫い針に通したまま保持しておくために使用される。
【背景技術】
【０００２】
裁縫または針仕事では、針穴に糸を通した縫い針を用いて、布類を縫って衣類を仕立てていく。衣類を縫い終えたとき、または時間の都合で裁縫を中断するときに、縫い針に通した糸が残る場合がある。
【０００３】
縫い針に通した糸が残った場合に、その糸を縫い針から抜いてしまうと次に通すのが大変であるので、その糸を次の裁縫で使えるようにそのまま保存しておきたいという要望がある。
【０００４】
そのため、従来においては、糸の流通または供給のために用いられる糸巻きを利用し、その糸巻きに残った糸を巻き付け、巻き終わりの部分にある縫い針を巻き付けた糸の間に差し込んでおく、ということが行われている。
【０００５】
また、そのような目的で用いるために、糸を巻き付けるための糸巻き部と縫い針を差し込んでおくための溝とを設けた裁縫針用ケースが提案されている（特許文献１）。
【特許文献１】特開平１０−３１０９２６
【発明の開示】
【発明が解決しようとする課題】
【０００６】
しかし、上に述べた前者の方法では、糸の間に差し込んだ縫い針が糸の間から外れ易く、巻いた糸がほどけてしまうことが多いという問題がある。また、後者の裁縫針用ケースでは、装置が大掛かりであり、残った糸を保管するために専用の裁縫針用ケースが別途要ることになる。
【０００７】
このように、従来においては、縫い針に残った糸を簡便に保管することが難しく、結局、糸をもつれさせてしまって糸を切らねばならなくなるといったことが多かった。
【０００８】
本発明は、上述の問題に鑑みてなされたもので、縫い針に残った糸を簡便に保管することのできる裁縫用糸巻きを提供することを目的とする。
【課題を解決するための手段】
【０００９】
本発明に係る裁縫用糸巻きは、縫い針に通した糸を保持するための裁縫用糸巻きであって、糸を巻き付けるための巻付け部と前記巻付け部に巻き付けた糸が脱落しないように前記巻付け部の両側に設けられた鍔部とを有した糸巻部が備えられ、前記糸巻部が針の頭部に設けられて構成される。
【００１０】
好ましくは、前記糸巻部は、板状であって、前記針の長手方向に沿って、前記１つの鍔部、前記巻付け部、および他の１つの前記鍔部が形成されている。
【００１１】
また、前記糸巻部は、正面視および背面視が略瓢箪形状の板状体からなり、前記針の長手方向に沿って、前記１つの鍔部、前記巻付け部、および他の１つの前記鍔部が形成されている。なお、略瓢箪形状とは、中央部が窪んでその両側が膨らんだような形状をいう。
【００１２】
本発明の他の形態では、糸を巻き付けるための板状の巻付け部を有した糸巻部が備えられ、前記糸巻部が、針の頭部において、前記糸巻部による平面が前記針の長手方向を含むような配置で一体的に設けられてなる。
【００１３】
本発明に係る糸の保管方法は、前記糸を巻き付けるための糸巻部が針の頭部に設けられた裁縫用糸巻きを用い、前記糸巻部に前記糸をその糸尻から巻き付け、前記糸を巻き付け終わった前記縫い針および前記針を同じ針山に突き刺しておく。
【発明の効果】
【００１４】
本発明によると、縫い針に残った糸を簡便に保管することができる。しかも、本発明の裁縫用糸巻きは構造が簡単であるから低コストで製作することができる。さらに、本発明の裁縫用糸巻きは、待ち針として利用することも可能であるから、裁縫をする者にとって余分な負担が最小限に抑えられる。
【発明を実施するための最良の形態】
【００１５】
図１は本発明の一実施形態に係る裁縫用糸巻き１の正面図、図２は裁縫用糸巻き１の側面図、図３は裁縫用糸巻き１の平面図、図４は裁縫用糸巻き１の底面図、図５は裁縫用糸巻き１に糸を巻く様子を示す図、図６は裁縫用糸巻き１に糸を巻き終えたときに一態様を示す図、図７は縫い針に残った糸を保管している様子を示す斜視図、図８は他の実施形態の裁縫用糸巻き１Ｂ〜１Ｅの正面図である。
【００１６】
図１〜４において、裁縫用糸巻き１は、糸巻部１１および針１２からなる。糸巻部１１は、針１２の頭部に設けられている。
【００１７】
糸巻部１１は、糸を巻き付けるための巻付け部２１、および、巻付け部２１に巻き付けた糸が脱落しないように巻付け部２１の両側に設けられた鍔部２２，２３を有する。糸巻部１１は、正面視および背面視が略瓢箪形状の板状体からなり、針１２の長手方向に沿って、鍔部２２、巻付け部２１、および鍔部２３が、この順に配置される状態で固定されている。
【００１８】
なお、針１２は、鋼鉄、ステンレス鋼、その他の金属材料、またはカーボンなどで製作される。糸巻部１１は、合成樹脂、紙、木材、金属材料、またはカーボンなどを用いて製作される。
【００１９】
糸巻部１１は、例えば、針１２の頭部において合成樹脂による一体成形によって形成してもよい。また、糸巻部１１となる２枚の板状体を、針１２の頭部を両側から挟むようにして接着剤で貼り合わせて固定することによって形成してもよい。また、糸巻部１１となる１枚の板状体を、針１２の頭部の一方の側に配置し、頭部の他方の側から固定用の板材を接着剤などで貼り付けて固定することによって形成してもよい。
【００２０】
また、頭部に円板状のものが取り付けられた待ち針、例えば図７に示す待ち針ＭＨ１を針１２として用い、その円板状の部分ＥＢの両側から２枚の板状体で挟んで接着剤で貼り合わせて固定してもよい。この場合には、糸巻部１１となる板状のものは、厚手のケント紙、装飾紙、包装箱用の紙など、適当な紙で製作したものでも十分な強度とすることができる。
【００２１】
なお、寸法の例をあげると、巻付け部２１は、長さ（針１２の長手方向に沿った長さ）が２〜１０ｍｍ程度、より好ましくは３〜５ｍｍ程度、具体的には例えば４ｍｍ程度、幅（針１２の長手方向と直角方向に沿った長さ）が４〜１５ｍｍ程度、より好ましくは５〜１０ｍｍ程度、具体的には例えば８ｍｍ程度である。
【００２２】
また、鍔部２２，２３は、長さ（針１２の長手方向に沿った長さ）が２〜８ｍｍ程度、より好ましくは４〜６ｍｍ程度、具体的には例えば５ｍｍ程度、または鍔部２２が５ｍｍ程度、鍔部２３が６ｍｍ程度、幅（針１２の長手方向と直角方向に沿った長さ）が４〜２０ｍｍ程度、より好ましくは１０〜１５ｍｍ程度、具体的には例えば１３ｍｍ程度である。
【００２３】
なお、鍔部２２の長さよりも鍔部２３の長さを長くするのは、後述するように糸巻部１１に糸を巻き付けるときに鍔部２３を指で保持するためである。しかし、鍔部２３を長くしなくとも指で保持することは可能であるので、デザイン的な面を優先して寸法や形状を決めてもよい。
【００２４】
糸巻部１１の厚さは、０．４〜２．０ｍｍ程度、より好ましくは０．４〜１．５ｍｍ程度、具体的には例えば１．２ｍｍ程度である。
【００２５】
針１２は、長さが２０〜６０ｍｍ程度、より好ましくは３０〜５０ｍｍ程度、具体的には例えば４０ｍｍ程度、直径が０．３〜１．０ｍｍ程度、より好ましくは０．４〜０．６ｍｍ程度、具体的には例えば０．５ｍｍ程度である。
【００２６】
次に裁縫用糸巻き１の使用方法について説明する。
【００２７】
図５に示すように、針１２および鍔部２３を例えば左手の指で摘み、裁縫用糸巻き１をほぼ水平の状態で保持する。保存（保管）したい縫い針ＮＨおよび糸Ｔを右手の指で摘んでその糸Ｔの糸尻から巻付け部２１に巻き付けていく。その際に、糸の糸尻を左手の親指で鍔部２３との間に挟んで保持しておくと糸を巻き付け易い。
【００２８】
また、巻いていった糸が糸の糸尻またはその近辺を上から押さえるようにすると糸が糸尻からほどけないので都合がよいが、通常、糸が何重にも巻き付けられることとなるので、これは糸を巻き付けるときに特に気を付けなくてもよい。換言すれば、巻付け部２１に糸を巻き付けていったときに糸が何重にも重なるように、巻付け部２１の幅（針１２の長手方向にそった長さ）を設定しておけばよい。
【００２９】
糸Ｔを糸巻部１１に巻き付け終わると、図６に示すように、縫い針ＮＨと針１２とがおおむね揃うように、つまり例えば互いにほぼ同じ方向を向いて接近した状態で、指で摘まみ、図７に示すように、縫い針ＮＨと針１２とを１つの針山（またはピンクッション）ＨＹに、適当な深さで突き刺しておく。突き刺す方法や深さは、従来の待ち針ＭＨや針を突き刺す場合と特に変わる点はないが、縫い針ＮＨおよび針１２を抜くときに片手の指で摘まんで抜けるように、それらが互いに接近した位置で、例えば裁縫用糸巻き１の糸巻部１１に縫い針ＮＨの頭部が重なるようにしてしておくと便利である。
【００３０】
この状態で、縫い針ＮＨおよび糸Ｔが保管される。糸Ｔは裁縫用糸巻き１の糸巻部１１に巻き付けられており、容易にはほどけないので、糸Ｔがもつれたり絡まってしまうことがない。
【００３１】
縫い針ＮＨと裁縫用糸巻き１とが糸Ｔによって繋がってセットで針山ＨＹに突き刺された状態であるから、糸Ｔを使用するときには、それら縫い針ＮＨと裁縫用糸巻き１とを指で同時に摘んで針山ＨＹから抜き取り、糸Ｔを糸巻部１１から巻き戻すことによってすぐに使用することができる。糸Ｔが解かれた裁縫用糸巻き１は、針山ＨＹに突き刺しておけばよい。このように、裁縫用糸巻き１の使用方法は簡単であり誰にでも容易に理解できる。
【００３２】
このように、裁縫用糸巻き１によると、縫い針ＮＨに残った糸Ｔを簡便に保管することができる。しかも、裁縫用糸巻き１は構造が簡単であるから低コストで製作することができる。
【００３３】
さらに、裁縫用糸巻き１は、糸巻きとしてではなく単なる待ち針として用いることもできる。つまり、裁縫用糸巻き１は、糸巻きと待ち針との両方の機能を備えている。特に、糸巻部１１の寸法が余り大きくならないようにしておけば、従来からある待ち針ＭＨと同様に裁縫用糸巻き１を待ち針として使用することができる。しかも必要なときには糸巻きとして使える。したがって、裁縫をする者にとっては、自分の針山ＨＹに若干数の裁縫用糸巻き１を追加することによって、残った糸Ｔの保管を簡単に行うことができるとともに、それを待ち針としても使用することができる。裁縫をする者が従来から使用している待ち針ＭＨの全部または一部を本実施形態の裁縫用糸巻き１に交換してもよい。このように、裁縫をする者にとって余分な負担が最小限に抑えられる。
【００３４】
なお、糸巻部１１の形状は種々のものとしてよい。
【００３５】
例えば、図８（Ａ）に示す裁縫用糸巻き１Ｂでは、糸巻部１１Ｂは、その外形を示す包絡線が曲線であり、巻付け部２１の外形線が凹状の曲線である。
【００３６】
図８（Ｂ）に示す裁縫用糸巻き１Ｃでは、糸巻部１１Ｃは、鍔部２２Ｃ，２３Ｃの上下の縁が直線状である。
【００３７】
図８（Ｃ）に示す裁縫用糸巻き１Ｄでは、糸巻部１１Ｄは、上方の鍔部がなく、巻付け部２１Ｄと下方の鍔部２３Ｄのみである。この場合には、糸Ｔは、巻付け部２１Ｄの鍔部２２Ｄ寄りに巻き付ければよい。
【００３８】
図８（Ｄ）に示す裁縫用糸巻き１Ｅでは、糸巻部１１Ｅは、鍔部がなく、長方形状の巻付け部２１Ｅのみである。この場合には、糸Ｔを巻付け部２１Ｅに巻き付けるときに、巻付け部２１Ｅの下方を指で持てばよい。つまり、巻付け部２１Ｅの一部が把持部２４Ｅを兼ねている。
【００３９】
また、図示は省略したが、糸巻部１１の形状を、動物、魚、植物、その他の自然物、建築物、車両、航空機、船舶、機械装置、その他の人工の構造物、またはそれらをデフォルメしたもの、またはキャラクターなどに似せてもよい。糸巻部１１の表面に適当な着色や模様を施したり画像を描いてもよい。
【００４０】
なお、図８に示す各裁縫用糸巻き１Ｂ〜１Ｅにおいて、針１２は全て同じものとして説明したが、針１２の長さ、径、または形状などがそれぞれ互いに異なってもよい。要は、針１２を針山ＨＹに突き刺すだけであるから、従来から用いられている種々の待ち針ＭＨや縫い針ＮＨと同程度の針であればよい。
【００４１】
また、糸Ｔの糸尻がほどけないようにするため、鍔部２３、２３Ｂ〜２３Ｄ、または鍔部２３、２３Ｂ〜２３Ｄと巻付け部２１、２１Ｂ〜２１Ｄとの境界当たりに、糸Ｔを挿入するための切れ込みを設けておいてもよい。裁縫用糸巻き１Ｅにおいては、巻付け部２１Ｅにおける把持部２４Ｅの上端当たりにそのような切れ込みを設けておけばよい。
【００４２】
また、糸巻部１１を、板状ではなく、立体形状としてもよい。その場合には、例えば、上に述べた糸巻部１１、１１Ｂ〜Ｅ１１を針１２を軸として回転して得られる回転体の形状とすることができる。また、２枚の板状のものを直交するように組み合わせたり、円柱状の円周面から１つまたは複数の突起が突出した形状としてもよい。また、上に述べたように、種々の自然物、種々の人工の構造物、またはキャラクターなどに似せてもよい。
【００４３】
上に述べた実施形態において、糸巻部、針、または裁縫用糸巻きの全体または各部の構造、形状、寸法、個数、および材質などは、本発明の趣旨に沿って適宜変更することができる。                                                                          
【産業上の利用可能性】
【００４４】
本発明の裁縫用糸巻きは、裁縫を終えて残った縫い針に通した糸を次に使えるように縫い針に通したまま保持しておくために利用可能であり、また待ち針としても利用可能である。
【図面の簡単な説明】
【００４５】
【図１】本発明の一実施形態に係る裁縫用糸巻きの正面図である。
【図２】裁縫用糸巻きの側面図である。
【図３】裁縫用糸巻きの平面図である。
【図４】裁縫用糸巻きの底面図である。
【図５】裁縫用糸巻きに糸を巻く様子を示す図である。
【図６】裁縫用糸巻きに糸を巻き終えたときに一態様を示す図である。
【図７】縫い針に残った糸を保管している様子を示す斜視図である。
【図８】他の実施形態の裁縫用糸巻きの正面図である。
【符号の説明】
【００４６】
１，１Ｂ〜１Ｅ  裁縫用糸巻き
１１，１１Ｂ〜１１Ｅ  糸巻部
１２  針
２１，２１Ｂ〜２１Ｅ  巻付け部
２２，２２Ｂ〜２１Ｃ  鍔部
２３，２３Ｂ〜２３Ｄ  鍔部
ＮＨ  縫い針
Ｔ  糸
【図１】
2006118101.tif 000003
【図２】
2006118101.tif 000004
【図３】
2006118101.tif 000005
【図４】
2006118101.tif 000006
【図５】
2006118101.tif 000007
【図６】
2006118101.tif 000008
【図７】
2006118101.tif 000009
【図８】
2006118101.tif 000010